(57)【特許請求の範囲】
【請求項１】
内側に家庭用薄葉紙を収納するとともに、前記家庭用薄葉紙の取出口を具備する容器本体と、前記容器本体に前記取出口を開閉するように回動自在に取り付けられた蓋体と、を備える家庭用薄葉紙収納容器であって、
前記蓋体を閉じた状態において前記蓋体の前記取出口に対向する位置に、前記取出口の方向に凸の弾性部材により構成され、前記取出口から出た前記家庭用薄葉紙を前記取出口の内側に押し込むための押込部を備え、
前記押込部は、前記取出口の方向に凸のアーチ形状であり、前記凸の頂点部分に切り込みが形成され、
前記切り込みは、前記蓋体が閉じられた際に前記容器本体内に収納されている家庭用薄葉紙に前記押込部が当たって撓むことにより開き、前記蓋体を開けた際に閉じる家庭用薄葉紙収納容器。
【請求項２】
前記切り込みは、前記押込部の前記凸の頂点部分の、前記蓋体を閉じた状態における下側のみを切り込んだものである請求項１に記載の家庭用薄葉紙収納容器。
【請求項３】
前記切り込みは、前記押込部の前記凸の頂点部分を、前記蓋体を閉じた状態において上下方向に貫くように切り込んだものである請求項１に記載の家庭用薄葉紙収納容器。
【請求項４】
前記蓋体を閉じた状態において前記蓋体の前記取出口に対向する面には、前記蓋体を閉じた状態において前記取出口に係合する係合部を備える請求項１〜３の何れか一項に記載の家庭用薄葉紙収納容器。
【請求項５】
前記係合部は、前記押込部を囲むように前記取出口の方向に凸となり、前記蓋体を閉じた状態において前記取出口に挿入され、前記取出口の内周に係合する請求項４に記載の家庭用薄葉紙収納容器。
【請求項６】
前記係合部の外周には、パッキン部材が装着されている請求項５に記載の家庭用薄葉紙収納容器。
【発明の詳細な説明】
【技術分野】
【０００１】
本発明は、家庭用薄葉紙収納容器に関する。
【背景技術】
【０００２】
従来、ウェットシートやウェットティシュー等の家庭用薄葉紙を収納する家庭用薄葉紙収納容器としては、取出口を開閉する開閉蓋の裏側にパッキン部材を装着し、開閉蓋を閉じた状態でこのパッキン部材により取出口を密閉するものが知られている（例えば、特許文献１参照）。
【先行技術文献】
【特許文献】
【０００３】
【特許文献１】特開２０１０−１１６１９９号公報
【発明の概要】
【発明が解決しようとする課題】
【０００４】
しかしながら、上述の特許文献１においては、家庭用薄葉紙を取り出した際に飛び出してくる次のシートが取出口と上から覆うパッキン部材との間や開閉蓋と容器本体との間に挟まり、家庭用薄葉紙が取出口の内側に入らずに乾いてしまうという問題がある。また、取出口から出てきた家庭用薄葉紙が開閉蓋や開閉を操作するための操作ボタンに挟まり、開閉がしにくくなるという問題もある。
【０００５】
本発明の課題は、取出口を開閉する蓋体を備えた家庭用薄葉紙収納容器において、取出口から飛び出した家庭用薄葉紙が蓋体を閉じた際に取出口の内側に収まるようにすることである。
【課題を解決するための手段】
【０００６】
前記課題を解決するために、請求項１に記載の発明は、
内側に家庭用薄葉紙を収納するとともに、前記家庭用薄葉紙の取出口を具備する容器本体と、前記容器本体に前記取出口を開閉するように回動自在に取り付けられた蓋体と、を備える家庭用薄葉紙収納容器であって、
前記蓋体を閉じた状態において前記蓋体の前記取出口に対向する位置に、前記取出口の方向に凸の弾性部材により構成され、前記取出口から出た前記家庭用薄葉紙を前記取出口の内側に押し込むための押込部を備え、
前記押込部は、前記取出口の方向に凸のアーチ形状であり、前記凸の頂点部分に切り込みが形成され、
前記切り込みは、前記蓋体が閉じられた際に前記容器本体内に収納されている家庭用薄葉紙に前記押込部が当たって撓むことにより開き、前記蓋体を開けた際に閉じる。
【０００７】
請求項２に記載の発明は、請求項１に記載の発明において、
前記切り込みは、前記押込部の前記凸の頂点部分の、前記蓋体を閉じた状態における下側のみを切り込んだものである。
【０００８】
請求項３に記載の発明は、請求項１に記載の発明において、
前記切り込みは、前記押込部の前記凸の頂点部分を、前記蓋体を閉じた状態において上下方向に貫くように切り込んだものである。
【０００９】
請求項４に記載の発明は、請求項１〜３のいずれか一項に記載の発明において、
前記蓋体を閉じた状態において前記蓋体の前記取出口に対向する面には、前記蓋体を閉じた状態において前記取出口に係合する係合部を備える。
【００１０】
請求項５に記載の発明は、請求項４に記載の発明において、
前記係合部は、前記押込部を囲むように前記取出口の方向に凸となり、前記蓋体を閉じた状態において前記取出口に挿入され、前記取出口の内周に係合する。
【００１１】
請求項６に記載の発明は、請求項５に記載の発明において、
前記係合部の外周には、パッキン部材が装着されている。
【発明の効果】
【００１４】
本発明によれば、蓋体を閉じた状態においてこの蓋体の取出口に対向する位置に、取出口から出た家庭用薄葉紙を取出口の内側に押し込むための押込部を備えているので、蓋体を回動させて閉じる過程で取出口から飛び出した家庭用薄葉紙を取出口の内側に収納することができる。これにより、取出口から飛び出した次の家庭用薄葉紙が蓋体と容器本体の間に挟まってしまい、容器本体の内側に収納されずに乾いてしまったり、蓋体の開閉がしにくくなったり、容器本体内の気密性が確保できなくなったりしてしまうことを防止することができる。また、家庭用薄葉紙を指で触れることなく取出口の内側に押し込むことができるので、衛生的である。
また、押込部を弾性部材により構成することで、蓋体を閉じた際に押込部が容器本体の内部に積層されている家庭用薄葉紙に当たってしまっても、押込部が撓むことにより蓋体が閉まらなくなることを防止することができる。即ち、容器本体内で家庭用薄葉紙が積層されている高さに左右されずに使用することができる。更に、押込部が家庭用薄葉紙に当接したときに撓むことにより、家庭用薄葉紙と接触する面積を大きくすることができ、効率よく家庭用薄葉紙を捉えることが可能となる。
【図面の簡単な説明】
【００１５】
【図１】本実施形態における家庭用薄葉紙収納容器の斜視図である。
【図２】上蓋が開いた状態の家庭用薄葉紙収納容器の中央部付近の前後方向断面を模式的に示した図である。
【図３】上蓋が少し閉じて家庭用薄葉紙を捉えた状態の家庭用薄葉紙収納容器の中央部付近の前後方向断面を模式的に示した図である。
【図４】上蓋が閉じた状態の家庭用薄葉紙収納容器の中央部付近の前後方向断面を模式的に示した図である。
【図５】変形例１における押込部の形状を示す図である。
【図６】変形例２における押込部の形状を示す図である。
【図７】変形例３における押込部の形状を示す図である。
【発明を実施するための形態】
【００１６】
以下、図を参照して、本発明の実施形態を詳細に説明する。ただし、発明の範囲は、図示例に限定されない。
【００１７】
[家庭用薄葉紙収納容器１００の構成]
まず、本発明の家庭用薄葉紙収納容器１００の構成について、図１に基づいて説明する。以下の説明では、家庭用薄葉紙収納容器１００の前後方向をＸ方向、左右方向をＹ方向、上下方向をＺ方向とする。
【００１８】
家庭用薄葉紙収納容器１００は、図１に示すように、ウェットシートやウェットティシュー等の家庭用薄葉紙Ｐを収納する容器本体１と、この容器本体１の底面開口を塞ぐ底蓋２と、容器本体１の上部に設けられた家庭用薄葉紙Ｐの取出口１１を開閉するように当該容器本体１のＹ方向の回動軸回りに回動自在に取り付けられた上蓋３（蓋体）と、取出口１１を開閉するために操作される操作部４と、を備えて構成されている。容器本体１の底面開口に底蓋２が取り付けられることで、容器本体１内における家庭用薄葉紙Ｐを収納する空間である収納部５（図２〜図４参照）が形成される。
【００１９】
容器本体１、底蓋２、上蓋３、操作部４は、例えば、ＰＥ（ポリエチレン）やＰＰ（ポリプロピレン）、ＰＥＴ（ポリエチレンテレフタレート）、或いは、ＡＢＳ樹脂等から形成されているが、これらに限られるものではない。
【００２０】
容器本体１の上面中央部には、家庭用薄葉紙Ｐを取り出すための取出口１１が設けられている。取出口１１は、例えば、楕円形状の開口部である。なお、取出口１１の形状は、楕円形状に限定されるものではなく、例えば円形状やその他の形状であってもよい。
【００２１】
上蓋３を閉じた状態において上蓋３の取出口１１と対向する面には、上蓋３を閉じた状態で取出口１１の内周に係合する係合部３１が設けられている。この係合部３１及び上蓋３により、上蓋３を閉じた状態において取出口１１を覆うことができ、収納部５の気密性を高めることができる。なお、係合部３１の外周には、エラストマーやシリコンを使用したパッキン部材が装着されていることとしてもよい。これにより、収納部５の気密性を向上させることができる。更に、上蓋３の外周にもパッキン素材が装着されていることとしてもよい。これにより、上蓋３を閉じた状態において上蓋３と容器本体１を密着させることができ、より一層収納部５の気密性を高めることができる。
【００２２】
更に、上蓋３の取出口１１と対向する位置には、取出口１１から家庭用薄葉紙Ｐを取り出した際に飛び出してくる次の家庭用薄葉紙Ｐを取出口１１の内側に押し込むための押込部３２が設けられている。押込部３２は、上蓋３を閉じた状態で下に凸（即ち、取出口１１の方向に凸）の曲線形状の、具体的には、アーチ形状の部材であり、上蓋３を回動させて閉じていく過程で取出口１１から出ている家庭用薄葉紙Ｐを押さえつけて取出口１１の中へ押し込み、上蓋３が閉じられることで家庭用薄葉紙Ｐとともに取出口１１に入り込むようになっている。押込部３２は、例えば、ゴム素材、ＰＥ、ＰＥＴ、ＰＰ等の軟質の弾性素材により構成されていることが好ましい。押込部３２を弾性部材とすることで、収納部５に収納されている家庭用薄葉紙Ｐが取出口１１付近まで積層されていても、押込部３２が撓むことにより、上蓋３が閉まらなくなることを防止することができる。また、押込部３２が家庭用薄葉紙Ｐに当接したときに撓むことにより、家庭用薄葉紙Ｐと接触する面積を大きくすることができ、効率よく家庭用薄葉紙Ｐを捉えることができる。また、押込部３２が曲線形状であるため、取出口１１から飛び出した家庭用薄葉紙Ｐに対して直角に当たりやすく、効率よく家庭用薄葉紙Ｐを捉えることが可能となる。
【００２３】
[家庭用薄葉紙収納容器１００の作用]
次に、家庭用薄葉紙収納容器１００の作用について説明する。図２は、上蓋３が開いた状態、図３は、上蓋３が少し閉じて家庭用薄葉紙Ｐを捉えた状態、図４は、上蓋３が閉じた状態の家庭用薄葉紙収納容器１００の中央部付近の前後方向断面を模式的に示した図である。
【００２４】
図２に示すように、上蓋３を開いて取出口１１から家庭用薄葉紙Ｐを取り出すと、次の家庭用薄葉紙Ｐが取出口１１から飛び出す。そのまま上蓋３を閉じようとして矢印方向に回動させると、図３に示すように、取出口１１から飛び出した家庭用薄葉紙Ｐに押込部３２が当接し、上蓋３の矢印方向への回動とともに家庭用薄葉紙Ｐが押込部３２の移動方向、即ち、取出口１１の方向に押され、取出口１１の内側に押し込まれる。上蓋３が閉じられ、押込部３２が取出口１１の内側に収納されると、図４に示すように、家庭用薄葉紙Ｐも取出口１１の内側に収納される。また、係合部３１が取出口１１の内周に係合する。
【００２５】
このように、上蓋３の取出口１１に対応する位置には、取出口１１から飛び出した家庭用薄葉紙Ｐを取出口１１の内側に押し込むための押込部３２が設けられており、上蓋３を回動させて閉じる動作を行うと、押込部３２の移動により飛び出した家庭用薄葉紙Ｐを取出口１１に押し込む。
従って、取出口１１から飛び出した次の家庭用薄葉紙Ｐを取出口１１の内側に収めることができるので、家庭用薄葉紙Ｐが上蓋３と容器本体１の間に挟まってしまい、収納部５に収納されずに乾いてしまったり、操作部４に噛み込まれて開閉がしにくくなったり、収納部５の気密性が確保できなくなったりしてしまうことを防止することができる。また、家庭用薄葉紙Ｐを指で触れることなく取出口１１内部に押し込むことができるので、衛生的である。
【００２６】
また、上蓋３を閉じると、取出口１１の内周に係合部３１が係合するので、収納部５の気密性を向上させることができる。
【００２７】
以下、押込部３２の変形例について説明する。
【００２８】
＜変形例１＞
押込部３２は、図５（ａ）〜（ｃ）に示すように、半アーチ形状（又はフック形状）の部材としてもよい。これにより、より少ない部材で押込部３２を構成することができる。なお、押込部３２の付け根は、図５（ａ）に示すように上蓋３を閉じた状態において手前側（上蓋３を開いた状態で上側）にあってもよいし、図５（ｂ）に示すように上蓋３を閉じた状態において後ろ側（上蓋３を開いた状態で下側）にあってもよい。また、押込部３２は、図５（ｃ）に示すように、２つの半アーチ形状（又はフック形状）の部材の凸部の頂点を向い合せて構成したものとしてもよい。
【００２９】
＜変形例２＞
押込部３２は、図６（ａ）、（ｂ）に示すように、上記実施形態で説明したアーチ形状の凸の頂点部分に切れ込みＣを設けたものとしてもよい。このようにすれば、上蓋３が閉じられた際に収納部５内に積層されている家庭用薄葉紙Ｐに押込部３２が当たって撓むことにより切れ込み部分が開き、上蓋３を開けた際に切れ込み部分が閉じるので、次の家庭用薄葉紙Ｐを押込部３２で挟んでつまみ出すことができる。また、家庭用薄葉紙Ｐを取り出すときに取出口１１に手を入れなくてすむので衛生的である。
なお、切れ込みＣは、図６（ａ）に示すように、上蓋３を開けた状態において押込部３２の凸の頂点部分を前後方向に（上蓋３を閉じた状態において押込部３２の凸の頂点部分を上下方向に）貫くものであってもよいし、図６（ｂ）に示すように、上蓋３を開けた状態において押込部３２の凸の頂点部分の前側の一部（上蓋３を閉じた状態において押込部３２の凸の頂点部分の下側の一部）のみを切り込んだものであってもよい。
【００３０】
＜変形例３＞
押込部３２は、図７（ａ）、（ｂ）に示すように、アーチ形状の凸部の頂点部分を十字形状にしてもよい。このようにすれば、取出口１１から飛び出した家庭用薄葉紙Ｐがどの方向を向いていても確実に捉えて取出口１１の内側に押し込むことが可能となる。
【００３１】
以上説明したように、家庭用薄葉紙収納容器１００によれば、上蓋３を閉じた状態において上蓋３の取出口１１に対向する位置に、取出口１１の方向に凸の弾性部材により構成され取出口１１から出た家庭用薄葉紙Ｐを取出口１１の内側に押し込むための押込部３２が設けられている。
従って、上蓋３を回動させて閉じていく過程で取出口１１から出ている家庭用薄葉紙Ｐを押さえつけて取出口１１の中へ押し込んで取出口１１の内側に収めることができる。これにより、取出口１１から飛び出した次の家庭用薄葉紙Ｐが上蓋３と容器本体１の間に挟まってしまい、収納部５に収納されずに乾いてしまったり、操作部４に噛み込まれて開閉がしにくくなったり、収納部５の気密性が確保できなくなったりしてしまうことを防止することができる。また、家庭用薄葉紙Ｐを指で触れることなく取出口１１内部に押し込むことができるので、衛生的である。
また、押込部３２を弾性部材とすることで、上蓋３を閉じた際に押込部３２が容器本体１の内部に積層されている家庭用薄葉紙Ｐに当たってしまっても、押込部３２が撓むことにより、上蓋３が閉まらなくなることを防止することができる。即ち、容器本体１内で積層されている家庭用薄葉紙Ｐの高さに左右されずに使用することができる。更に、押込部３２が家庭用薄葉紙Ｐに当接したときに撓むことにより、家庭用薄葉紙Ｐと接触する面積を大きくすることができ、効率よく家庭用薄葉紙Ｐを捉えることができる。
【００３２】
また、例えば、押込部３２を、上蓋３を閉じた状態において取出口１１の方向に凸の曲線形状、例えば、アーチ形状とすることで、押込部３２が取出口１１から飛び出した家庭用薄葉紙Ｐに対して直角に当たりやすくなり、効率よく家庭用薄葉紙Ｐを捉えることが可能となる。
【００３３】
また、例えば、押込部３２の凸の頂点部分を十字形状とすることで、取出口１１から飛び出した家庭用薄葉紙Ｐがどの方向を向いていても押込部３２で確実に捉えて取出口１１の内側に押し込むことが可能となる。
【００３４】
また、例えば、押込部３２を、上蓋３を閉じた状態において取出口１１の方向に凸の半アーチ形状又はフック形状、又は、半アーチ形状又はフック形状の部材２つを凸部の頂点を向い合せて構成したものとすることで、より少ない部材で押込部３２を構成することができる。
【００３５】
また、例えば、押込部３２を、上蓋３を閉じた状態において取出口１１の方向に凸のアーチ形状とし、凸の頂点部分に切り込みを形成しておくことで、上蓋３が閉じられた際に収納部５内に積層されている家庭用薄葉紙Ｐに押込部３２が当たって撓むことにより切れ込み部分が開き、上蓋３を開けた際に切れ込み部分が閉じるので、上蓋３を開けた際に次の家庭用薄葉紙Ｐを押込部３２で挟んでつまみ出すことが可能となる。これにより、家庭用薄葉紙Ｐを取り出しやすくすることができる。また、家庭用薄葉紙Ｐを取り出すときに取出口１１に手を入れなくてすむので衛生的である。
【００３６】
また、例えば、上蓋３を閉じた状態において上蓋３の取出口１１に対向する面に、上蓋３を閉じた状態において取出口１１に係合する係合部３１を備えるようにすることで、上蓋３を閉じた状態において取出口１１を覆うことができ、容器本体１内部の収納部５の気密性を高めることができる。
【００３７】
なお、本発明は、上記した実施形態及び変形例のものに限るものではなく、その要旨を逸脱しない範囲で適宜変更可能である。
【符号の説明】
【００３８】
１００  家庭用薄葉紙収納容器
１  容器本体
１１  取出口
２  底蓋
３  上蓋
３１  係合部
３２  押込部
４  操作部
【図１】
0006328011.tif 000002
【図２】
0006328011.tif 000003
【図３】
0006328011.tif 000004
【図４】
0006328011.tif 000005
【図５】
0006328011.tif 000006
【図６】
0006328011.tif 000007
【図７】
0006328011.tif 000008